(57)【要約】【課題】録画を行う番組の指定にともなう利用者端末の負担を取り除くとともに、サーバ側でも、録画を行う番組の特定をできるだけ簡略化するテレビ録画・配信方法を提供する。【解決手段】本発明のテレビ録画・配信方法は、テレビ録画・配信サーバ１０が、ネットワーク６０を介して、利用者端末２０、３０、４０からテレビ番組の録画の依頼を受け付け、録画した番組を配信する方法において、テレビ録画・配信サーバが、録画を行う番組を検索して特定し、利用者端末にこの番組のＧコードを表示する第１のステップと、テレビ録画・配信サーバが、第１のステップで特定された番組、または、利用者端末から入力されたＧコードにより特定される番組の録画を行う第２のステップを有することを特徴とする。検索はジャンルごとに行い、番組の配信は別の利用者端末に行うことも可能である。【選択図】  図１
2004336193.tif 000002
【特許請求の範囲】
【請求項１】
テレビ録画・配信サーバが、ネットワークを介して、利用者端末からテレビ番組の録画の依頼を受け付け、録画した番組を配信する方法において、
前記テレビ録画・配信サーバが、録画を行う番組を検索して特定し、前記利用者端末に該番組のＧコードを表示する第１のステップと、
前記テレビ録画・配信サーバが、前記第１のステップで特定された番組、または、前記利用者端末から入力されたＧコードにより特定される番組の録画を行う第２のステップを有することを特徴とする方法。
【請求項２】
前記検索はジャンルごとに行われる、請求項１に記載の方法。
【請求項３】
前記配信は、前記利用者端末によって指定された、前記利用者端末とは別の利用者端末に行われる、請求項１または２に記載の方法。
【請求項４】
請求項１から３のいずれか１項に記載の方法を、前記テレビ録画・配信サーバとなるべきコンピュータに実行させるプログラム。
【請求項５】
請求項１から３のいずれか１項に記載の方法を、前記テレビ録画・配信サーバとなるべきコンピュータに実行させるプログラムを記録した、コンピュータ読み取りが可能な記録媒体。
【請求項６】
ネットワークを介して、利用者端末からテレビ番組の録画の依頼を受け付け、録画した番組を配信するサーバにおいて、
録画を行う番組を検索して特定し、前記利用者端末に該番組のＧコードを表示する第１の手段と、
前記第１の手段によって特定された番組、または、前記利用者端末から入力されたＧコードにより特定される番組の録画を行う第２の手段を有することを特徴とするサーバ。
【請求項７】
前記検索をジャンルごとに行う、請求項６に記載のサーバ。
【請求項８】
前記配信を、前記利用者端末によって指定された、前記利用者端末とは別の利用者端末に行う、請求項６または７に記載のサーバ。
【発明の詳細な説明】
【０００１】
【発明の属する技術分野】
本発明は、ネットワークを介して、サーバが、利用者端末からテレビ番組の録画の依頼を受け付け、録画した番組を利用者端末に配信する方法に関する。
【０００２】
【従来の技術】
ネットワークを介して、サーバが、利用者端末からテレビ番組の録画の依頼を受け付け、録画した番組を利用者端末に配信する方法としては、利用者端末が、チャンネル名、年月日、録画開始時間および終了時間などを指定して録画をサーバに依頼し、サーバが、録画した番組を利用者端末に配信する方法が提案されている（特許文献１参照）。また、利用者端末からの検索情報に基づいて、サーバが、録画すべき番組を検索し、録画した番組を利用者端末に配信する方法も提案されている（特許文献２参照）。
【０００３】
【特許文献１】
特開２００２−１９９３１７号公報
【特許文献２】
特開２００２−９４９１３号公報
【０００４】
【発明が解決しようとする課題】
しかしながら、特許文献１の方法では、チャンネル名、年月日、録画開始時間および終了時間などの指定を利用者端末に負担させることになるので、利用者にとって便利とは言い難い方法である。一方、特許文献２の方法では、録画すべき番組をいつも検索するのは迂遠であり、例えば、録画を希望する番組のＧコードが利用者端末側でわかっているなら、このＧコードの入力のみで録画できるほうが簡単である。
【０００５】
本発明の目的は、録画を行う番組の指定にともなう利用者端末の負担を取り除くとともに、サーバ側でも、録画を行う番組の特定をできるだけ簡略化するテレビ録画・配信方法を提供することにある。
【０００６】
【課題を解決するための手段】
上記目的を達成するために、本発明のテレビ録画・配信方法は、テレビ録画・配信サーバが、ネットワークを介して、利用者端末からテレビ番組の録画の依頼を受け付け、録画した番組を配信する方法において、テレビ録画・配信サーバが、録画を行う番組を検索して特定し、利用者端末にこの番組のＧコードを表示する第１のステップと、テレビ録画・配信サーバが、第１のステップで特定された番組、または、利用者端末から入力されたＧコードにより特定される番組の録画を行う第２のステップを有することを特徴とする。したがって、利用者端末は、検索によって録画したい番組を見つけるか、録画したい番組のＧコードがわかっている場合には、Ｇコードによって番組を指定するか、好きなほうを選択することができる。また、Ｇコードによって番組が指定された場合、検索処理は不要である。
【０００７】
【発明の実施の形態】
次に、本発明の実施の形態について、図面を参照して詳細に説明する。
【０００８】
図１を参照すると、本発明の一実施形態のテレビ録画・配信システムは、テレビ録画・配信サーバ１０と、携帯電話２０と、ＰＣ３０と、カーナビ４０と、自動決済サーバ５０を含む。それぞれは、インターネット６０を介して接続されている。
【０００９】
テレビ録画・配信サーバ１０は、番組検索部１１と、番組録画部１２と、番組配信部１３を含む。番組検索部１１は、携帯電話２０またはＰＣ３０またはカーナビ４０が録画を希望する番組の検索を行う。番組録画部１２は、携帯電話２０またはＰＣ３０またはカーナビ４０が録画を希望する番組の録画を行う。番組配信部１３は、録画した番組をＰＣ３０に配信する。そして、配信した番組に対する課金を自動決済サーバ５０に依頼する。
【００１０】
携帯電話２０は、テレビ録画・配信サーバ１０に番組検索および番組録画を依頼する。ＰＣ３０は、テレビ録画・配信サーバ１０に番組検索および番組録画を依頼し、録画した番組の配信を受ける。カーナビ４０は、テレビ録画・配信サーバ１０に番組検索および番組録画を依頼する。携帯電話２０とＰＣ３０とカーナビ４０は、同じ利用者によって操作されるものとする。自宅、出張先、車での移動中でも、例えば、自宅にあるＰＣ３０に録画した番組を配信するよう依頼できる。
【００１１】
自動決済サーバ５０は、テレビ録画・配信サーバ１０から依頼を受け、番組の配信を受けたＰＣ３０に、番組の対価を課金し、利用者の口座から引き落とす。
【００１２】
次に、本システムの動作について説明する。
【００１３】
図２を参照すると、テレビ録画・配信サーバ１０が初期メニューを携帯電話２０またはＰＣ３０またはカーナビ４０に表示し、次いで、番組検索を行う処理の流れを示すフローチャートが示されている。
【００１４】
ステップ２０１で、携帯電話２０またはＰＣ３０またはカーナビ４０は、インターネット６０を介して、テレビ録画・配信サーバ１０に接続する。
【００１５】
ステップ２０２で、テレビ録画・配信サーバ１０は、携帯電話２０またはＰＣ３０またはカーナビ４０に初期メニューを表示する。初期メニューは、１．番組検索、２．番組録画、３．番組配信を含む。それぞれの処理は、番組検索部１１、番組録画部１２、番組配信部１３が行う。利用者端末は、録画を依頼する番組が未定の場合は、１．番組検索を選択して、録画したい番組とそのＧコードを検索することができる。もうすでに録画したい番組が決まっており、そのＧコードがわかっている場合は、１．番組検索を経ることなく、２．番組録画を選択して、当該番組の録画を依頼する。また、すでに録画依頼をした番組がある場合には、３．番組配信を選択し、録画コードを入力して、ＰＣ３０に当該番組の配信を依頼する。
【００１６】
ステップ２０３で、携帯電話２０またはＰＣ３０またはカーナビ４０が１．番組検索を選択すると、ステップ２０４で、テレビ録画・配信サーバ１０は、ジャンル選択画面（１．シネマ、２．ドラマ、３．スポーツ、４．ニュース、５．お笑い、６．料理番組）を携帯電話２０またはＰＣ３０またはカーナビ４０に表示する。ステップ２０５で、携帯電話２０またはＰＣ３０またはカーナビ４０がジャンルを選択すると、ステップ２０６で、テレビ録画・配信サーバ１０は、当該ジャンルに属する番組のリストを携帯電話２０またはＰＣ３０またはカーナビ４０に表示する。ステップ２０７で、携帯電話２０またはＰＣ３０またはカーナビ４０がこのリストの中から録画を希望する番組を選択すると、ステップ２０８で、テレビ録画・配信サーバ１０は、携帯電話２０またはＰＣ３０またはカーナビ４０に当該番組のＧコードを提示し、ステップ２０２の初期メニューに戻る。
【００１７】
ステップ２０９で、携帯電話２０またはＰＣ３０またはカーナビ４０が２．番組録画を選択すると、テレビ録画・配信サーバ１０は番組録画のための処理を開始する（図３、ステップ３０１へ進む）。ステップ２１０で、携帯電話２０またはＰＣ３０またはカーナビ４０が３．番組配信を選択すると、テレビ録画・配信サーバ１０は番組配信のための処理を開始する（図６、ステップ６０１へ進む）。
【００１８】
図３を参照すると、テレビ録画・配信サーバ１０が番組録画の処理を開始するにあたって、携帯電話２０またはＰＣ３０またはカーナビ４０からアクセスしてきた利用者の認証を行う処理の流れを示すフローチャートが示されている。
【００１９】
ステップ３０１で、テレビ録画・配信サーバ１０は、携帯電話２０またはＰＣ３０またはカーナビ４０に会員コード認証のメニューを表示する。携帯電話２０またはＰＣ３０またはカーナビ４０は、既に会員登録済みであれば、１．会員コード入力を選択し、まだ会員登録をしていなければ、２．会員新規登録を選択する。
【００２０】
ステップ３０２で、１．会員コード入力が選択されると、テレビ録画・配信サーバ１０は、携帯電話２０またはＰＣ３０またはカーナビ４０から既に配布済みの会員コードの入力を受け、ステップ３０３で、会員コード認証処理を行う。認証が成功すれば、ステップ４０１（図４）に進む。認証が失敗すれば、ステップ３０１に戻る。
【００２１】
ステップ３０５で、２．会員新規登録が選択されると、テレビ録画・配信サーバ１０は、ステップ３０６で、会員コード新規登録処理を行う。会員コード新規登録処理では、利用者を識別する会員コードの配布、録画した番組の配信先のアドレス（すなわち、ＰＣ３０のメールアドレス）の登録、当該利用者の口座番号の登録を行う。処理が終了すれば、ステップ４０１（図４）に進む。
【００２２】
図４を参照すると、テレビ録画・配信サーバ１０が番組録画を行うための設定を行う処理の流れを示すフローチャートが示されている。
【００２３】
ステップ４０１で、テレビ録画・配信サーバ１０は、携帯電話２０またはＰＣ３０またはカーナビ４０に録画メニューの画面を表示する。録画メニューは、１．ＴＶ録画（番組検索済み）、２．ＴＶ録画（Ｇコード入力）を含む。１．ＴＶ録画（番組検索済み）は、携帯電話２０またはＰＣ３０またはカーナビ４０が、番組検索結果を利用して録画依頼をする場合に選択され、２．ＴＶ録画（Ｇコード入力）は、番組検索とは独立に、Ｇコードの入力を行うことにより録画依頼をする場合に選択される。
【００２４】
ステップ４０２で、１．ＴＶ録画（番組検索済み）が選択されると、携帯電話２０またはＰＣ３０またはカーナビ４０が検索結果のどれかを指定することで、録画を行う番組とそのＧコードが特定される。
【００２５】
ステップ４０３で、２．ＴＶ録画（Ｇコード入力）が選択されると、ステップ４０４で、テレビ録画・配信サーバ１０は、携帯電話２０またはＰＣ３０またはカーナビ４０に、Ｇコード入力画面を表示し、ステップ４０５で、携帯電話２０またはＰＣ３０またはカーナビ４０は、録画を依頼する番組のＧコードを入力する。以上により、録画を行う番組とそのＧコードが特定される。
【００２６】
ステップ４０６から４０９は、録画の後、つづけて録画した番組を配信するかどうか（すなわち、初期メニュー（ステップ２０２）の３．番組配信を選択することなく、２．番組録画の処理の中で、録画後すぐに配信をおこなうかどうか）の設定である。ステップ４０６で、テレビ録画・配信サーバ１０は、携帯電話２０またはＰＣ３０またはカーナビ４０に、配信メニュー（１．配信あり、２．配信なし）を表示し、録画の後、つづけて配信を希望するかどうか選択させる。ステップ４０７で、１．配信ありが選択された場合には、ステップ４０８で、配信フラグをオンにして、ステップ５０１（図５）に進む。ステップ４０９で、２．配信なしが選択された場合には、そのままステップ５０１（図５）に進む。
【００２７】
図５を参照すると、テレビ録画・配信サーバ１０が、録画またはそれに引き続く配信を行う処理の流れを示すフローチャートが示されている。
【００２８】
ステップ５０１で、ステップ４０２または４０５で特定された、録画を行う番組のＧコードの解読処理を行う。ステップ５０２で、この番組の録画予約を行う。ステップ５０３で、録画が完了すると、配信処理へ移行する。
【００２９】
ステップ５０４で、テレビ録画・配信サーバ１０は、配信フラグがオンかオフかを判定し、オンの場合、ステップ５０５で、録画した番組をＰＣ３０に配信するとともに、ステップ５０６で、携帯電話２０またはＰＣ３０またはカーナビ４０に、当該番組を識別する録画コードを送信する。ステップ５０７で、テレビ録画・配信サーバ１０は、配信した番組の対価を利用者に課金するように、自動決済サーバ５０に依頼する。その後、初期メニュー（ステップ２０２）に戻る。
【００３０】
ステップ５０４で、配信フラグがオフだった場合、配信は行わず、ステップ５０８で、携帯電話２０またはＰＣ３０またはカーナビ４０に、当該番組を識別する録画コードを送信する。その後、初期メニュー（ステップ２０２）に戻る。
【００３１】
図６を参照すると、テレビ録画・配信サーバ１０が、番組の配信を行う処理の流れを示すフローチャートが示されている。
【００３２】
初期メニュー（ステップ２０２）で、３．番組配信が選択されると、ステップ６０１で、テレビ録画・配信サーバ１０は、携帯電話２０またはＰＣ３０またはカーナビ４０に会員コード認証メニュー（１．会員コード入力）を表示する。ステップ６０２で、携帯電話２０またはＰＣ３０またはカーナビ４０が会員コードを入力すると、ステップ６０３で、会員コード認証処理を行い、ステップ６０４で、認証が成功すると、ステップ６０５に進み、認証が失敗すると、ステップ６０１に戻る。
【００３３】
認証が終了すると、ステップ６０５で、テレビ録画・配信サーバ１０は、携帯電話２０またはＰＣ３０またはカーナビ４０に、録画コード認証メニューを表示する。ステップ６０６で、携帯電話２０またはＰＣ３０またはカーナビ４０が録画コードを入力すると、ステップ６０７で、テレビ録画・配信サーバ１０は、録画コード検索処理を行い、配信すべき番組を特定する。ステップ６０８で、当該番組をＰＣ３０に配信し、ステップ６０９で、テレビ録画・配信サーバ１０は、配信した番組の対価を利用者に課金するように、自動決済サーバ５０に依頼する。その後、初期メニュー（ステップ２０２）に戻る。
【００３４】
なお、本実施形態では、携帯電話２０またはＰＣ３０またはカーナビ４０から録画依頼をし、ＰＣ３０に配信するようにしたが、携帯電話２０またはカーナビ４０に配信するようにすることももちろん可能である。
【００３５】
また、テレビ録画・配信サーバ１０は、専用のハードウェアにより実現する以外に、その機能を実現するためのプログラムを、コンピュータ読み取りが可能な記録媒体に記録して、この記録媒体に記録されたプログラムをテレビ録画・配信サーバ１０となるべきコンピュータシステムに読み込ませて実行することにより、実現するものでもよい。コンピュータ読み取りが可能な記録媒体とは、フロッピーディスク、光磁気ディスク、ＣＤ−ＲＯＭ等の記録媒体、コンピュータシステムに内蔵されるハードディスク装置等の記憶装置を指す。さらに、コンピュータ読み取りが可能な記録媒体とは、インターネットを介してプログラムを送信する場合のように、短時間の間に、動的にプログラムを保持するもの（伝送媒体もしくは伝送波）、コンピュータシステム内部の揮発性メモリのように、一定時間プログラムを保持しているものも含む。
【００３６】
【発明の効果】
以上説明したように、本発明によれば、次のような効果を有する。
【００３７】
録画を行う番組の指定にともなう利用者端末の負担を取り除くとともに、サーバ側でも、録画を行う番組の特定をできるだけ簡略化することができる。
【００３８】
自宅に録画装置を持っていない利用者、または、出張先・旅行先の利用者でも、本発明により、番組の録画が行える。携帯電話が利用できるところであれば、２４時間３６５日どこでもＴＶ番組の録画が行える。
【００３９】
本発明の発展として、ビデオレンタル・ＤＶＤレンタル会社との提携で、インターネットを経由してビデオ・ＤＶＤデータの配信サービスを行なうことが可能である。
【図面の簡単な説明】
【図１】本発明の一実施形態のテレビ録画・配信システムの構成を示す図である。
【図２】テレビ録画・配信サーバ１０が初期メニューを携帯電話２０またはＰＣ３０またはカーナビ４０に表示し、次いで、番組検索を行う処理の流れを示すフローチャートである。
【図３】テレビ録画・配信サーバ１０が番組録画の処理を開始するにあたって、携帯電話２０またはＰＣ３０またはカーナビ４０からアクセスしてきた利用者の認証を行う処理の流れを示すフローチャートである。
【図４】テレビ録画・配信サーバ１０が番組録画を行うための設定を行う処理の流れを示すフローチャートである。
【図５】テレビ録画・配信サーバ１０が、録画またはそれに引き続く配信を行う処理の流れを示すフローチャートである。
【図６】テレビ録画・配信サーバ１０が、番組の配信を行う処理の流れを示すフローチャートである。
【符号の説明】
１０  テレビ録画・配信サーバ
１１  番組検索部
１２  番組録画部
１３  番組配信部
２０  携帯電話
３０  ＰＣ
４０  カーナビ
５０  自動決済サーバ
２０１〜２１０  ステップ
３０１〜３０６  ステップ
４０１〜４０９  ステップ
５０１〜５０８  ステップ
６０１〜６０９  ステップ
【図１】
2004336193.tif 000003
【図２】
2004336193.tif 000004
【図３】
2004336193.tif 000005
【図４】
2004336193.tif 000006
【図５】
2004336193.tif 000007
【図６】
2004336193.tif 000008